(57)【要約】【課題】  樹脂製の養殖用帆立貝の掛止具を多数本並置して連結し、成形する際、不可避的に発生する軸方向の収縮の影響を可級的に無くし、連結部相互を精度良く連結し、掛止具集合体を無限に連続成形可能とした養殖用帆立貝の掛止具を提供したい。【解決手段】  軸部２の中間部に先端部を尖鋭とし、後端部方向に拡開し、＜形であって、軸部の径方向外方に対称的に斜めに突出するロープ抜止部４を設け、軸部後部の第２の帆立貝掛止部５を大径な胴部とし、複数の掛止具の軸部を並置し、軸部の中間部に設けたロープ抜止部６の先端同士を連結７することで隣接する掛止具の軸部の中間部間を繋ぎ、第２の掛止部５同士を連結片８で連結し、掛止具１の軸部２の軸方向の中間部及び後部の軸方向に離間した２箇所を、抜止片６同士及び第２の掛止部５同士を連結片７，８で連結した養殖帆立貝の掛止具。【選択図】図１
0003137171.tif 000002
【実用新案登録請求の範囲】
【請求項１】
樹脂製の軸部の先端部に第１の帆立貝掛止部を備え、該軸部の後端部に第２の帆立貝掛止部を備え、ロープの径方向に直交するように設けた取付孔に、該軸部の中間部を貫通保持させ、両端部の第１、第２の帆立貝掛止部で帆立貝を掛止、保持するようにした養殖帆立貝の掛止具において、
前記軸部の中間部に、先端部を尖鋭とし、後端部方向に拡開し、＜形であって、軸部の径方向外方に対称的に斜めに突出するロープ抜止部を設け、軸部後部の前記第２の帆立貝掛止部は、軸部よりも大径な胴部とし、
複数の掛止具の軸部を並置し、軸部の中間部に設けた前記ロープ抜止部の先端同士を連結することで隣接する掛止具の軸部の中間部間を繋ぎ、前記第２の掛止部同士を連結片で連結し、
並置した掛止具の軸部の軸方向の中間部及び後部の軸方向に離間した２箇所を、抜止片同士及び第２の掛止部同士で連結片により連結した、
ことを特徴とする養殖帆立貝の掛止具。
【請求項２】
前記連結片は軸部と一体の可撓性を有するロープ抜止部及び可撓性連結片であることを特徴とする請求項１に記載の養殖帆立貝の掛止具。
【請求項３】
前記後部の第２の係止部相互の連結片は、軸方向に隙間をもって配置された２本の連結片で構成したことを特徴とする請求項１記載の養殖帆立貝の掛止具。
【請求項４】
前記第１の帆立貝掛止部は、∠形又は＜形の銛状としたことを特徴とする請求項１記載の養殖帆立貝の掛止具。
【請求項５】
前記並置した複数の掛止具を帯状とし、該帯状の掛止具の夫々を可撓性を有する連結部分で曲げ、ロール状に巻回して帯状の掛止具ロールを構成するようにしたことを特徴とする請求項１、請求項２、請求項３の何れか１項に記載の養殖帆立貝の掛止具。
【考案の詳細な説明】
【技術分野】
【０００１】
本考案は、帆立貝の養殖に用いる掛止具に関するものである。
【背景技術】
【０００２】
帆立貝を海中に垂らしたロープに吊り下げて養殖するに際し、帆立貝をロープに係止する掛止具が実用に供されている。
従来、帆立貝養殖用の掛止具が知られている（例えば、特許文献１参照。）。
【特許文献１】特許第３３７５６１７号公報。
【０００３】
特許文献１の公報の図２１、図２２では従来の帆立貝養殖用の掛止具を示しており、掛止具は樹脂で成形されており、多数の掛止具単体の軸部を平行に配置し、軸部の先端部には＜形の掛止部を備え、後端部には大径部を設け、大径部を掛止部とし、先端部の＜形の掛止部の両端部相互を連結部（連結片部分）で連結し、帯状の掛止具集合体を形成し、同公報の図２３に示すように、集合体から掛止具単体を一本づつ切り出し、同公報の図３２に示すように、掛止具単体をロープに通し、両端部に帆立貝を掛止し、ロープを海中に垂らして養殖するものである。
【０００４】
図１４は、上記した従来の掛止具の製造過程を示す説明図である。
金型１００に帯状掛止具の製品部１０１を彫り込み、製品部１０１（製品キャビティ）は、掛止具の製品形状に彫り込まれており、図は、例えば左右型の一方、或いは上下型の一方を示しており、金型１００の製品部１０１は、所定ピッチ離間して平行に各軸部１０１ａ…（…は複数を表す。以下同じ）を凹設する。
各軸部１０１ａ…の上端部には、図では上向きの＜形の掛止部１０１ｂ、下端部に大径の胴部状の掛止部１０１ｃを各凹設し、上端部の掛止部１０１ｂは、左右の掛止片１０１ｄ，１０１ｄの端部がＵ形の連結部１０１ｅで連結されており、下端部の大径の掛止部１０１ｃ間は矩形片状の連結片１０１ｆで連結するように製品部１０１は形成されている。
【０００５】
以上の金型１００の製品部１０１は、図の左右方向に延び、軸部を含む掛止具単体の連結される成形本数は、４０本〜５０本程度で、製品部に溶融樹脂を射出し、左右に所定ピッチで連設、並置された状態で、掛止具（掛止具集合体）１０２を成形する。
図１４は、右半を金型で成形しつつある掛止具集合体を、左半では成形して脱形した掛止具集合体を示している。
【０００６】
以上の金型で樹脂成形される掛止具集合体１０２は、図の左半に示した状態に成形され、図の右半で成形した集合体１０２Ｂと左半の集合体１０２Ａとは、一方の最終端部のもの１０２Ａ−１と他方の最初のもの１０２Ｂ−１とを、掛止部１０２Ａ−１の先端部の＜形掛止部の一片１０２ｄ、掛止部１０２Ｂ−１の先端部の＜形掛止部の一片１０２ｄの各先端部を連設して連結片を成形する必要があり、夫々の大径の掛止部１０２ｃ，１０２ｃは、矩形片状の連結片１０２ｆで連結するものである。
【０００７】
以上において、樹脂成形品である掛止具集合体１０２を、図１４の左半で示したように成形するに際し、製品部で成形される成形品は金型寸法に比較し１／１００〜２／１００収縮した状態で成形される。
即ち、１００mmの長さで彫り込んだ掛止具は、離型して取り出した状態で製品は軸方向（長さ方向）の中央部に向かって収縮し（図１４の矢印）、その長さは、金型の製品部の長さに対し１mm〜２mm程度短くなる。
【０００８】
その結果、図１４の左半、右半で連続するように、製品（掛止具集合体）を連結する場合、長い軸部の上下端部の掛止部で繋げられるので、左半と右半では、連結する＜形掛止部１０２ｄ間の連結部に段差、ズレが生じる虞があり、集合体１０２Ａ，１０２Ｂ相互の連結部を、掛止部１０２ｄで段差、ズレを生じることなく連結することは難しい。
この結果、連続して連結された製品を作る時には、例えば、集合体１０２Ａ，１０２Ｂの連結部を重ね合わせて（ダブらせて）成形し、爾後、不要部を除去する等の作業を要したり、或いは、正規の連結部以外に補助ランナーを設けて集合体１０２Ａ，１０２Ｂを連結した状態で成形し、正規の連結部以外の補助ランナー部分を除去する等の作業を要し、余分な樹脂を要したり、余分な部分を作る結果、溶融樹脂周りが悪くなる虞があって製品の品質に影響したり、除去工程が増えて作業が面倒で、コストアップに繋がる等の不利がある。
【考案の開示】
【考案が解決しようとする課題】
【０００９】
本考案は、樹脂製の養殖用帆立貝の掛止具を多数本並置して連結し、成形する際、不可避的に発生する軸方向の収縮の影響を可級的に無くし、連結部相互を精度良く連結し、掛止具集合体を無限に連続成形可能とした養殖用帆立貝の掛止具を提供することを課題とする。
【課題を解決するための手段】
【００１０】
請求項１に係る考案は、樹脂製の軸部の先端部に第１の帆立貝掛止部を備え、該軸部の後端部に第２の帆立貝掛止部を備え、ロープの径方向に直交するように設けた取付孔に、該軸部の中間部を貫通保持させ、両端部の第１、第２の帆立貝掛止部で帆立貝を掛止、保持するようにした養殖帆立貝の掛止具において、軸部の中間部に、先端部を尖鋭とし、後端部方向に拡開し、＜形であって、軸部の径方向外方に対称的に斜めに突出するロープ抜止部を設け、軸部後部の前記第２の帆立貝掛止部は、軸部よりも大径な胴部とし、複数の掛止具の軸部を並置し、軸部の中間部に設けた前記ロープ抜止部の先端同士を連結することで隣接する掛止具の軸部の中間部間を繋ぎ、前記第２の掛止部同士を連結片で連結し、並置した掛止具の軸部の軸方向の中間部及び後部の軸方向に離間した２箇所を、抜止片同士及び第２の掛止部同士で連結片により連結したことを特徴とする。
【００１１】
請求項２に係る考案は、請求項１において、前記連結片は軸部と一体の可撓性を有するロープ抜止部及び可撓性連結片であることを特徴とする。
【００１２】
請求項３に係る考案は、請求項１において、前記後部の第２の係止部相互の連結片は、軸方向に隙間をもって配置された２本の連結片で構成したことを特徴とする。
【００１３】
請求項４に係る考案は、請求項１において、前記第１の帆立貝掛止部は、∠形又は＜形の銛状としたことを特徴とする。
【００１４】
請求項５に係る考案は、請求項１、請求項２、請求項３の何れか１項において、前記並置した複数の掛止具を帯状とし、該帯状の掛止具の夫々を可撓性を有する連結部分で曲げ、ロール状に巻回して帯状の掛止具ロールを構成するようにしたことを特徴とする。
【考案の効果】
【００１５】
請求項１に係る考案では、軸部の中間部に設けた径方向外方に突出する＜形のロープ抜止部の先端同士を連結することで隣接する掛止具の軸部の中間部間を繋ぎ、軸部の後端部に設けた第２の掛止部同士を連結片で連結し、並置した掛止具の軸部の軸方向の中間部及び後部の軸方向に離間した２箇所を、抜止片同士及び第２の掛止部同士で連結片により連結した。
樹脂成形金型で、多数の掛止具を並置した状態で、連続して成形し、掛止具成形体を得るに際し、製品（掛止具）の長さ方向の略中央部で連結するので、製品（掛止具）の成形上、収縮の影響を殆ど受けることが無く、従って、軸部の略中央部に形成する＜形の抜止片は、軸部の長さ方向の略中央部位置に、位置精度良好に、連結部を構成する抜止片を成形することができ、金型から離型して取り出した冷却後の抜止片連結部と、金型で成形途中の抜止片連結部との位置関係は殆ど変わることが無く、軸部中央部における抜止片相互が精度良く、正確に連結することが可能なので、軸方向（長さ方向）中央部の連結片を、順次位置精度を維持して連結することで、極めて多数の掛止具集合体を、次々と連結することができ、無限連続状態の掛止具集合体の成形が可能となる。
【００１６】
従って、連続する掛止具集合体の精度向上、品質の向上を図ることができ、また、従来にように、長さ方向収縮に伴う便宜的な補正作業や、便宜的な回避手法を必要とすることなく、成形容易に、コスト的に有利に、多数の掛止具集合体の集合である無限連続成形を行うことができる。
また、軸部の後端部は大径の第２掛止部であり、大径な帆立貝の掛止部なので、連結片で連結するに際し、連結片の連結は要すれば繋がっていれば良く、位置精度をさほど要求されないので、連結も容易である。
尤も、軸部の中央部と、中央部から距離が短い後端部で連結するので、後端部の大径部の連結部の位置精度もさほどズレることはなく、軸方向略中央部、後端部ともに集合体の無限連続成形に際し、集合体相互を後端部においても、精度良好に、連結することができる。
【００１７】
請求項２に係る考案では、請求項１において、連結片は軸部と一体の可撓性を有するロープ抜止部及び可撓性連結片としたので、請求項１の効果に加えるに、掛止具の軸部の略中央部に設けた抜止片により、ロープの取付孔への掛止具単体の挿入、取り付け時に、抜止片で軸部中央部をロープ側に取り付け、保持するので、掛止具両端部に掛止する帆立貝をバランスをもって、その保持を行うことができ、帆立貝養殖上有利である。
【００１８】
請求項３に係る考案では、請求項１において、後部の第２の係止部相互の連結片を軸方向に隙間をもって配置された２本の連結片で構成したので、請求項１の効果に加えるに、後端部の連結部の強度が確保でき、無限連続状の掛止具集合体をロール状に巻回するに際し、巻易く、掛止具単体相互の連結強度も向上するとともに、掛止具単体の切り離し、装着に際し、掛止具の送り作業等にも有利である。
【００１９】
請求項４に係る考案では、請求項１において、軸部先端部の第１の帆立貝掛止部を、∠形又は＜形の銛状としたので、請求項１の効果に加えるに、ロープの取付孔の掛止部の挿入が容易で、且つ帆立貝の掛止、保持が確実である。
【００２０】
請求項５に係る考案では、請求項１、請求項２、請求項３の何れか１項において、並置した複数の掛止具集合体を帯状とし、該帯状集合体の掛止具の夫々を、可撓性を有する連結部分で曲げ、ロール状に巻回して帯状集合体からなる掛止具ロールを構成するようにしたので、掛止具の保管上有利であり、また、掛止具ロールを介して掛止具単体として分離し、帆立貝を掛止し、ロープに取り付ける作業上有利である。
【考案を実施するための最良の形態】
【００２１】
本考案を実施するための最良の形態を添付図に基づいて以下に説明する。なお、図面は符号の向きに見るものとする。
図１は、本考案に係る掛止具を、掛止具単体を帯状に集合体とした状態を示す説明図である。
樹脂製の掛止具単体１は、断面略々円形で細長い軸部２と、軸部２の尖鋭な先端部３と、これの軸方向の直後の部分に設けられた＜形の第１の掛止部４と、後端部の大径で、短い長さの胴部（円柱状）の第２の掛止部５とを備える。
【００２２】
掛止具単体１の軸部２の軸方向（長さ方向）の略中央部には、径方向外方且つ後方に、「ハ」形に突出するように抜止片６を一体に設ける。抜止片６は、軸部２の略中間部に図では上方に向いて＜形に形成されることとなる。
多数の掛止具単体１…（…は複数を表す。以下同じ）は、各軸部２が所定ピッチ離間して平行するように配置されており、夫々に尖鋭な先端部３、＜形の第１の掛止部４、第２の掛止部５を備える。
【００２３】
並置された多数の掛止具単体１…は、各軸部２の軸方向略々中央部に設けた＜形の抜止片６の隣接する端部同士で連結し、薄い可撓性を有する連結部７を構成し、図の横方向にこの連結部７で無限連続する、帯状の掛止具集合体９を形成する。
そして、各軸部２…の後端部の大径な太い軸状の第２の掛止部５…間は、薄い可撓性を有する片状の連結部８で相互に連結されている。
これにより、先端部の＜形の第１掛止部４…相互は不連続であり、細長い軸部の中央部と下端部とが連結部７，８で連結した帯状の無限連続体からなる掛止具集合体１０が形成される。
【００２４】
図２は、掛止具集合体の成形及び成形された掛止具集合体が連続するように連結する状態を示す説明図で、（ａ）は全体を示し、（ｂ）、（ｃ）は後部の第２掛止部を連結する一例を示す説明図である。
図の右半は樹脂成形金型５０を示し、金型５０は左右型、或いは上下型の半体を示している。
金型５０には、製品形状部（キャビティ）５１が形成されている。キャビティ５１は、多数平行して並置された先端部５１ｂを尖鋭とした掛止具の軸部５１ａ…、各軸部５１ａ…の先部相互に切り離された＜形の第１の掛止部５１ｃ、後部の大径な第２の掛止部５１ｄ、該掛止部５１ｄ間を繋ぐ薄い片状の連結部５１ｅ、軸部２の長さ方向略中央部に左右に突設され、隣接する端部相互を連結する連結部５１ｇで連結された＜形の抜止片５１ｆの各部分を凹設している。
【００２５】
図２の（ａ）の右半で金型により４０本〜５０本の帯状掛止具集合体３１を成形する。
図に左半では、既に金型により同様の帯状掛止具集合体４２が成形されていて、金型から取り出され（離型され）、冷却状態下にある。
左半の冷却した帯状掛止具集合体４２は、軸方向（長さ方向）に１／１００〜２／１００程度の寸法、収縮するが、左半部の掛止具集合体４１は、その掛止具単体１の抜止片６の連結部７の収縮が殆ど無視し得る程度であり、従って、金型５０で成形する掛止具集合体３１の連結部７と位置が殆ど一致し、金型で成形した掛止具集合体４１のＡ部と成形後で、冷却した状態の掛止具集合体のＢ部とは位置が一致し、そのまま抜け止め片の連結部７をそのまま連続して連結することができることとなる。
【００２６】
従って、軸方向中央部の抜止片６の隣接する連結部は、位置精度良く相互に成形することができ、矢印のような軸方向収縮が発生したとしても、相互に位置がずれることが無い。
軸部の軸方向中央部と後部とで連結部７と連結部８とで相互に連結するものであるが、掛止具１の軸部２の中央部及び後部とに連結部７，８を設けるので、中央部と後部との間の長さは短く、従って、連結部８で連結する第２の掛止部５の位置は、軸方向にズレる程度が小さく、左右の帯状掛止具集合体３１，４１の連結部のＣ部、Ｄ部は略々同一レベルで連結することが可能となる。
【００２７】
図２の（ａ）では、連結部Ｃ，Ｄが大きくズレた状態を示しているが、万一、このような状態でも、軸部の中央部の連結部は、左右の帯状掛止具集合体３１，４１で一致しているので、連結部Ｃ，Ｄのズレは障害とはならない。
図２の（ｂ）は連結部Ｃ，Ｄがずれた状態の局部的な説明図で、連結部８，８の対向する端部８ａ，８ａが上下に段差があったとしても、図２の（ｂ）のように一方の連結部を他方の第２の掛止部に溶融状態で当接することで、連結部８で双方を接合、連結することができる。
この状態では、中央部の連結部Ａ，Ｂには影響が無いので、無限連続集合体の成形上において影響がなく、無限連続集合体を容易に成形することができる。
【００２８】
図３は、帯状掛止具集合体をドラム状に巻き付けて使用者に提供する状態を示す説明図である。
帯状掛止具集合体９は、連結部７，８で容易に撓曲し、この部分で曲げてドラム１０に巻き付けて掛止具ロール１１としたものである。
掛止具１…の集合体は、ドラム１０の上下の鍔板１０ａ，１０ｂ間の中央部に設けた筒芯１０ｃ周に巻き付けることで掛止具ロール１１を形成し、掛止具ロール１１とすることで、運搬やストック、自動装着機への装着等が容易となる。
【００２９】
図４は、掛止具の帯状集合体の一部を拡大して示した正面図、図５は、切り離して掛止具単体として示した図である。
掛止具単体１は、先端部３を尖鋭とした軸部２、先端部３の直後に設けられ、軸方向に＜形である第１の掛止部４、中央部の＜形の抜止片６、後部の大径軸状の第２の掛止部５を備える。掛止具単体１は、前記した通り樹脂で成形されており、第１の掛止部４は可撓性を有し、また、抜止片６も同様に可撓性を有する。
【００３０】
次に、上記した軸部２の中央部に設けた連結部７を構成する抜止片６の抜け止め機能を説明する。
図６は、帆立貝に掛止具単体を通し、且つロープに掛止具単体を通して、装着作業の一例を示す説明図である。
２１は掛止具の自動挿入装置であり、帯状の掛止具集合体９を自動挿入装置２１の送り機構２２で縦向きに保持したまま所定ピッチ分送り、挿入位置でプッシュロッド２２ａで矢印のように掛止具１の軸部２の後端部５の端面から突き上げる。
【００３１】
これにより、掛止具１は、掛止具集合体９の群れから矢印で示すように、１本だけ上方に移動させられ、連結部７及び８は、送り機構２２の上下の刃部２３，２４で切断され、上昇しつつ切り離される。
上方には帆立貝のセット台２５が配設されており、セット台２５には、対称的に配置した帆立貝２６Ｌ，２６Ｒの支持凹部２５ａ、２５ｂを有する。
支持凹部２５ａ、２５ｂに帆立貝２６Ｌ，２６Ｒを耳片２６ａ，２６ａが上下に対峙するように対称的に載置、保持する。
帆立貝２６Ｌ，２６Ｒの耳片２６ａ，２６ａ間に、ロープ２７が上下の耳片２６ａ，２６ａで挟み込むようにセットし、事前に図示しないドリルで、上下の耳片２６ａ，２６ａこの間のロープ２７に取付孔を貫通して設けておく。
【００３２】
爾後、セット台２５の隙間２５ｃから掛止具単体１を上昇させ、帆立貝２６Ｌの下側の耳片２６ａ、ロープ２７の取付孔２７ａ、帆立貝２６Ｒの上側の耳片２６ａと掛止具単体１を通して、耳片２６ａ，２６ａの取付孔、ロープ２７の取付孔２７ａに掛止具単体１を通す。
掛止具単体１は、先端部３が尖鋭なので、容易に上下の耳片２６ａ，２６ａの取付孔、ロープ２７の取付孔２７ａを通り、先部の第１掛止部４は、掛止具単体１の進行方向に対して順方向の＜形なので、取付孔２７ａの通過時には撓み、抵抗少なく撓んで挿入され、進行する。
【００３３】
ところで、抜止片６は、図の帆立貝２６Ｌの下側の耳片２６ａの取付孔を撓んで通過し、ロープ２７の取付孔２７ａ内に至る。
図７の（ａ）〜（ｃ）は、抜止片のロープ取付孔への侵入及び返しによる係止状態を示す説明図である。
ロープ２７の取付孔２７ａへの侵入初期の状態を（ａ）で示し、軸部２は矢印のように取付孔１１内を侵入する。
ところで、ロープ２７の外径は、例えば７mm程度であり、取付孔２７ａの内径は１．６mm程度であり、軸部２は取付孔１１内を通過し得る程度の、例えば１．５mm程度の径であり、抜止片６の径方向両外側方向への突出量は、例えば７mm程度である。
【００３４】
軸部２の取付孔２７ａへの侵入で、抜止片６の上下の片６ａ，６ｂは可撓性を有するので軸部２周に密着するように変形し、取付孔２７ａ内を進行する（図７の（ｂ）参照）。
抜止片６が取付孔２７ａ内において、略々中央部より先に達したところで、掛止具単体１の軸部２を、侵入方向とは逆方向に引張（返し）操作する（図７（ｃ）の矢印方向）。
これにより、図７の（ａ）の矢印で示した進行方向に対し、順方向に撓曲していた抜止片６は、各片６ａ，６ｂの各先端部６ｃ、６ｃが、ロープ１０の取付孔１１の内壁に食い込んで内部組織に侵入し、図７の（ｃ）のように食い付いて係止されることとなる。
【００３５】
図８の（ａ）、（ｂ）は、掛止具単体１の耳片２６ａ，２６ａ及びロープ２７の取付孔２７ａへの挿入状態を示し、図８の（ａ）に示すように、図６の状態で帆立貝２６Ｌ，２６Ｒの耳片２６ａ，２６ａ、ロープ２７の取付孔２７ａを掛止具単体１は通り、抜止片６は、ロープ２７の取付孔２７ａ内に位置する。
この状態で、縦向きの掛止具単体１の上昇、支持を開放すると、図８（ｂ）の矢印で示すように、下側の帆立貝２６Ｌの重力作用による降下で、掛止具単体１に下方への力が作用し、狭まって取付孔２７ａ内に侵入した抜止片６は広がり、図７（ｃ）のように先端部が広がって取付孔内壁に食い付き、拡開する。
このように、掛止具単体１の挿入作業で、自動的に抜止片６を抜け止め係止させることができる。
【００３６】
図９及び図１０は、帆立貝の養殖状態を示す説明図で、ロープ２７を海中に垂らし、ロープ２７に直交するように通した掛止具単体１の両端部に帆立貝２６Ｌ，２６Ｒを掛止して保持させ、養殖を行う。
帆立貝の一方２６Ｒは、第１掛止部４の内側に耳片２６ａが取付孔を介して支持されており、図の右方向への抜け出しは阻止されている。帆立貝の他方２６Ｌは、第２掛止部５の内側に耳片２６ａが取付孔を介して支持されており、図の左方向への抜け出しは阻止される。
掛止具単体１は、前記した通り、軸部２の中間部に設けた抜止片６がロープ取付孔２７ａ内周壁に食い込んで係止され、取付孔２７ａからの抜け出しは阻止される。
【００３７】
実際には、図１０に示すように海中に横に母線２８を張り、母線２８にに吊下金具２９で吊り下げる。
帆立貝２６Ｌ，２６Ｒ…は、海中で捕餌し、成長するが、成長するに従い大きくなり、重くなる。この結果、掛止具単体１…は両端部が下がるように逆Ｕ形となり、両端部の掛止部４，５で耳片が掛止されているので、掛止具単体１…から帆立貝は抜け出すことを防止し、また、帆立貝の重量の増加で弓なりに反った掛止具単体１…は、ロープ取付孔２７ａ内で抜止片６が更に反った状態となり、ロープ取付孔２７ａ内における食い付き作用が大きくなり、保持性は一層高まり、帆立貝を掛止、保持した掛止具を強固にロープに係止させることとなる。
【００３８】
図１１〜図１３は、本考案の他の実施の形態を示す図であり、図１１は、帯状掛止具集合体の正面図、図１２は、同帯状掛止具集合体をドラム状とした説明図、図１３は、掛止具集合体を解きほぐし、帆立貝の装着装置に送る送り機構の一例を示す説明図である。
図１１〜図１３に係る実施の形態は、掛止具集合体９の第２の掛止部５間を繋ぐ片状の連結部を軸方向に隙間を維持して２本、８，１８を設けたものである。
【００３９】
本実施の形態では、２本の連結部８，１８により、連結部の強度を高く維持でき、図１２のように、ロール状に掛止具集合体９をドラム１０に巻回する際、掛止具の軸部の後部が２本の連結部で連結されているので、連結強度が高く、巻回、巻き戻しの際に、連結部から破断するのを防止することができる。
【００４０】
ところで、大径の軸部２端部の第２掛止部５，５間は、上下に離間した連結部８，１８で連結され、軸部２間には空間が空いているので、例えばギヤ状の送り装置３０の送り歯３０ａをこの空間の上下の連結部８，１８間に噛合させ、送り装置３０を図１２の矢印Ｒ方向に回転させることで、掛止具を矢印Ｙ方向に送ることができる。
これにより、図６で示した掛止具の自動挿入装置２１に送り込むことができる。
【産業上の利用可能性】
【００４１】
本考案の掛止具は、帆立貝の養殖に用いるに好適である。
【図面の簡単な説明】
【００４２】
【図１】本考案に係る掛止具を、掛止具単体を帯状に集合体とした状態を示す説明図である。
【図２】掛止具集合体の成形及び成形された掛止具集合体が連続するように連結する状態を示す説明図で、（ａ）は全体を示し、（ｂ）、（ｃ）は後部の第２掛止部を連結する一例を示す説明図である。
【図３】帯状掛止具集合体をドラム状に巻き付けて使用者に提供する状態を示す説明図である。
【図４】掛止具の帯状集合体の一部を拡大して示した正面図である。切り離して掛止具単体として示した図である。
【図５】帯状集合体から切り離した掛止具単体を示す図である。
【図６】帆立貝に掛止具単体を通し、且つロープに掛止具単体を通して、装着作業の一例を示す説明図である。
【図７】（ａ）〜（ｃ）は、抜止片のロープ取付孔への侵入及び返しによる係止状態を示す説明図である。
【図８】（ａ）、（ｂ）は、掛止具の耳片、ロープの取付孔の挿入状態及び抜止片による取付孔内周壁への係止、抜け止め状態を示す説明図である。
【図９】帆立貝の養殖状態を示す説明図である。
【図１０】帆立貝の養殖状態を示す説明図である。
【図１１】本考案の他の実施の形態を示す図であり、帯状掛止具集合体の正面図である。
【図１２】同帯状掛止具集合体をドラム状とした説明図である。
【図１３】同掛止具集合体を解きほぐし、帆立貝の装着装置に送る送り機構の一例を示す説明図である。
【図１４】従来の掛止具の製造過程を示す説明図である。
【符号の説明】
【００４３】
１…掛止具単体、  ２…軸部、  ３…先端部、  ４…第１の掛止部、  ５…第２の掛止部、  ６…抜止片、  ７…抜止片間の連結部、  ８…大径部間の連結部、  ９…掛止具集合体、  １０…掛止具集合体の巻取ドラム。
【図１】
0003137171.tif 000003
【図２】
0003137171.tif 000004
【図３】
0003137171.tif 000005
【図４】
0003137171.tif 000006
【図５】
0003137171.tif 000007
【図６】
0003137171.tif 000008
【図７】
0003137171.tif 000009
【図８】
0003137171.tif 000010
【図９】
0003137171.tif 000011
【図１０】
0003137171.tif 000012
【図１１】
0003137171.tif 000013
【図１２】
0003137171.tif 000014
【図１３】
0003137171.tif 000015
【図１４】
0003137171.tif 000016